(57)【特許請求の範囲】
【請求項１】
聴力検査プローブのためのフィルタデバイスであって、
前記フィルタデバイスは、第１方向において、中心軸に沿って第１端から第２端に向けて延びており、
第１フィルタ構造を有する第１部分と、
第２フィルタ構造を有する第２部分と、
前記中心軸に沿って延びる第１チャネルと、を備えており、
前記第１部分と前記第２部分は互いに接合されており、
前記第１フィルタ構造と前記第２フィルタ構造は、前記第１チャネルのためのフィルタ開口群の第１セットを有するフィルタ要素を画定しており、
前記第１フィルタ構造は、遠位端を有する第１主突出部材を備えており、
前記第２フィルタ構造は第１主開口を備えており、
前記第１主突出部材は、前記第１主開口の内側で前記中心軸に沿って少なくとも部分的に延び、前記フィルタ開口群の第１セットの主第１フィルタ開口を形成しており、
前記第１主突出部材は、第１支持点を含む１つ以上の支持点を備えており、
前記第１支持点は、前記第２フィルタ構造内の前記第１主開口の第１内部側壁と接触している、フィルタデバイス。
【請求項２】
聴力検査プローブのためのフィルタデバイスであって、
前記フィルタデバイスは、第１方向において、中心軸に沿って第１端から第２端に向けて延びており、
第１フィルタ構造を有する第１部分と、
第２フィルタ構造を有する第２部分と、
前記中心軸に沿って延びる第１チャネルと、を備えており、
前記第１部分と前記第２部分は互いに接合されており、
前記第１フィルタ構造と前記第２フィルタ構造は、前記第１チャネルのためのフィルタ開口群の第１セットを有するフィルタ要素を画定しており、
前記第１フィルタ構造は、遠位端を有する第１主突出部材を備えており、
前記第２フィルタ構造は第１主開口を備えており、
前記第１主突出部材は、前記第１主開口の内側で前記中心軸に沿って少なくとも部分的に延び、前記フィルタ開口群の第１セットの主第１フィルタ開口を形成しており、
前記第１フィルタ構造は、第１補助突出部材を備えており、
前記第２フィルタ構造は、第１補助開口を備えており、
前記第１補助突出部材は、前記第１補助開口の内側で前記中心軸に沿って少なくとも部分的に延び、前記フィルタ開口群の第１セットの補助第１フィルタ開口を形成している、フィルタデバイス。
【請求項３】
聴力検査プローブのためのフィルタデバイスであって、
前記フィルタデバイスは、第１方向において、中心軸に沿って第１端から第２端に向けて延びており、
第１フィルタ構造を有する第１部分と、
第２フィルタ構造を有する第２部分と、
前記中心軸に沿って延びる第１チャネルと、を備えており、
前記第１部分と前記第２部分は互いに接合されており、
前記第１フィルタ構造と前記第２フィルタ構造は、前記第１チャネルのためのフィルタ開口群の第１セットを有するフィルタ要素を画定しており、
前記第１フィルタ構造は、遠位端を有する第１主突出部材を備えており、
前記第２フィルタ構造は第１主開口を備えており、
前記第１主突出部材は、前記第１主開口の内側で前記中心軸に沿って少なくとも部分的に延び、前記フィルタ開口群の第１セットの主第１フィルタ開口を形成しており、
前記第１主突出部材の断面積が、遠位端に向かって減少している、フィルタデバイス。
【請求項４】
前記第１主突出部材は、円形、楕円形、長円形、三角形または長方形の断面を有している、請求項１から３のいずれか一項に記載のフィルタデバイス。
【請求項５】
前記第２部分は、前記第１チャネルをプローブチャネルに結合するための第１結合部分を備えており、
前記第１結合部分は、前記第１方向に延びているとともに前記第１主開口を囲んでいる結合リッジを備えている、請求項１から４のいずれか一項に記載のフィルタデバイス。
【請求項６】
前記フィルタデバイスは、前記中心軸に沿って延びている第２チャネルを備えており、
前記フィルタ要素は、前記第２チャネルのためのフィルタ開口群の第２セットを有している、請求項１から５のいずれか一項に記載のフィルタデバイス。
【請求項７】
前記第１部分は、空洞を有する管部分を備えており、
前記第２部分は、前記空洞の内側で前記中心軸に沿って延び、前記第１チャネルおよび前記第２チャネルを形成しているチャネル分離部を備えている、請求項６に記載のフィルタデバイス。
【請求項８】
前記第１フィルタ構造は、第２主突出部材を備えており、
前記第２フィルタ構造は、第２主開口を備えており、
前記第２主突出部材は、前記第２主開口の内側で前記中心軸に沿って延び、前記フィルタ開口の第２セットの主第２フィルタ開口を形成している、請求項６または７に記載のフィルタデバイス。
【請求項９】
聴力検査プローブのためのフィルタデバイスであって、
前記フィルタデバイスは、第１方向において、中心軸に沿って第１端から第２端に向けて延びており、
第１フィルタ構造を有する第１部分と、
第２フィルタ構造を有する第２部分と、
前記中心軸に沿って延びる第１チャネルと、を備えており、
前記第１部分と前記第２部分は互いに接合されており、
前記第１フィルタ構造と前記第２フィルタ構造は、前記第１チャネルのためのフィルタ開口群の第１セットを有するフィルタ要素を画定しており、
前記フィルタデバイスは、前記中心軸に沿って延びている第２チャネルを備えており、
前記フィルタ要素は、前記第２チャネルのためのフィルタ開口群の第２セットを有しており、
前記第１部分は、空洞を有する管部分を備えており、
前記第２部分は、前記空洞の内側で前記中心軸に沿って延び、前記第１チャネルおよび前記第２チャネルを形成しているチャネル分離部を備えている、フィルタデバイス。
【請求項１０】
聴力検査プローブのためのフィルタデバイスであって、
前記フィルタデバイスは、第１方向において、中心軸に沿って第１端から第２端に向けて延びており、
第１フィルタ構造を有する第１部分と、
第２フィルタ構造を有する第２部分と、
前記中心軸に沿って延びる第１チャネルと、を備えており、
前記第１部分と前記第２部分は互いに接合されており、
前記第１フィルタ構造と前記第２フィルタ構造は、前記第１チャネルのためのフィルタ開口群の第１セットを有するフィルタ要素を画定しており、
前記フィルタデバイスは、前記中心軸に沿って延びている第２チャネルを備えており、
前記フィルタ要素は、前記第２チャネルのためのフィルタ開口群の第２セットを有しており、
前記第１フィルタ構造は、第２主突出部材を備えており、
前記第２フィルタ構造は、第２主開口を備えており、
前記第２主突出部材は、前記第２主開口の内側で前記中心軸に沿って延び、前記フィルタ開口の第２セットの主第２フィルタ開口を形成している、フィルタデバイス。
【請求項１１】
前記第１フィルタ構造は、遠位端を有する第１主突出部材を備えており、
前記第２フィルタ構造は第１主開口を備えており、
前記第１主突出部材は、前記第１主開口の内側で前記中心軸に沿って少なくとも部分的に延び、前記フィルタ開口群の第１セットの主第１フィルタ開口を形成している、請求項９または１０に記載のフィルタデバイス。
【請求項１２】
前記第１主突出部材は、円形、楕円形、長円形、三角形または長方形の断面を有している、請求項１１に記載のフィルタデバイス。
【請求項１３】
前記第２部分は、前記第１チャネルをプローブチャネルに結合するための第１結合部分を備えており、
前記第１結合部分は、前記第１方向に延びているとともに前記第１主開口を囲んでいる結合リッジを備えている、請求項１１または１２に記載のフィルタデバイス。
【請求項１４】
前記第１部分および／または前記第２部分は、少なくとも部分的に疎水性物質によってコーティングされている、請求項１から１３のいずれか一項に記載のフィルタデバイス。
【請求項１５】
請求項１から１４のいずれか一項に記載のフィルタデバイスを備える聴力検査プローブ。
【発明の詳細な説明】
【技術分野】
【０００１】
本開示は、マイクロホンおよび／またはスピーカなどの精密機器を備える区画に一般に耳あか（ｅａｒｗａｘ）として知られる耳垢（ｃｅｒｕｍｅｎ）が入るのを防止するための、たとえば聴覚検査機器用のフィルタデバイスに関する。この区画は、鼓膜聴力検査および／または耳音響放射検査などの聴覚検査を実行するために使用される聴力検査プローブ（ｈｅａｒｉｎｇ  ｔｅｓｔ  ｐｒｏｂｅ）の区画であってよい。
【背景技術】
【０００２】
聴覚検査を実行するために、プローブが検査対象者の外耳道に挿入されることが必要である。プローブは、マイクロホンおよび／または１つ以上のスピーカなどのオーディオデバイスを保持し得る。これらの構成要素は、人間の耳からの耳垢によって損傷または変化することがある。したがって、プローブの構成要素と外耳道に挿入されるプローブの遠位端との間で、フィルタデバイスがプローブに加えられることがある。
【０００３】
聴覚検査を実行するために、フィルタデバイスが、音および空気が通過できるようにすることが必要である。同時に、フィルタは、耳垢がプローブに入ってプローブの構成要素が損傷することを潜在的に防ぐことが必要である。
【０００４】
従来のフィルタデバイスは、耳垢がプローブ区画に入るのを防止するために、使用者の耳からの耳垢を捕獲する。しかしながら、耳垢がフィルタに捕獲されている場合、プローブの音響的性質が変化し、それによりプローブが機能低下に至ることがある。
【０００５】
フィルタデバイスでは、非常に小さい寸法の開口が望ましい。しかしながら、小寸法の面に望ましい穴をくり抜くまたは貫通させることは困難であり、フィルタデバイスの製造コストが高額になる。
【発明の概要】
【０００６】
知られている解決策があるにもかかわらず、耳垢がプローブ区画に入るのを効果的に防止するフィルタデバイスと、容易かつ安価に製造できるフィルタデバイスが依然として必要とされている。
【０００７】
したがって、フィルタデバイスが提供される。フィルタデバイスは、第１方向において、中心軸に沿って第１端から第２端に向けて延びている。フィルタデバイスは、第１フィルタ構造を有する第１部分と、第２フィルタ構造を有する第２部分と、中心軸に沿って延びる第１チャネルを備えている。第１部分と第２部分は、互いに接合されている。第１フィルタ構造と第２フィルタ構造は、第１チャネルのためのフィルタ開口群の第１セットを有するフィルタ要素を画定している。
【０００８】
第１チャネルを有するフィルタデバイスなどを提供および／または製造するための方法も開示される。その方法は、第１フィルタ構造を有する第１部分を取得する工程と、第２フィルタ構造を有する第２部分を取得する工程と、第１部分と第２部分を接合する工程を備えている。第１部分と第２部分を接合する工程は、第１フィルタ構造を第２フィルタ構造に少なくとも部分的に挿入し、第１チャネルのためのフィルタ開口群の第１セットを有するフィルタ要素を形成する。
【０００９】
フィルタデバイスのための第１部分および／または第２部分がさらに開示される。さらに、上記したようなフィルタデバイスを備える聴力検査プローブが提供される。
【００１０】
本開示の利点は、プラスチック成形などの単純なプロセスによって安価に製造され得るフィルタデバイスが提供されることである。製造コストを減少させるフィルタデバイスは、１回使用した後および／または数回使用した後に交換され得るフィルタデバイスを提供し、それによって、使いやすさと、信頼性が高く一貫した測定を実現し得る。
【００１１】
聴力検査プローブのためのフィルタデバイスは、第１端と第２端を有し、中心軸に沿って第１方向に第１端から第２端に延びており、第１フィルタ構造を有する第１部分と、第２フィルタ構造を有する第２部分と、中心軸に沿って延びる第１チャネルを含み、第１部分と第２部分は互いに接合されており、第１フィルタ構造と第２フィルタ構造は第１チャネルのためのフィルタ開口群の第１セットを有するフィルタ要素を画定する。
【００１２】
任意で、第１フィルタ構造は、遠位端を有する第１主突出部材を備えており、第２フィルタ構造は第１主開口を備えている。第１主突出部材は、第１主開口の内側で中心軸に沿って少なくとも部分的に延び、フィルタ開口群の第１セットの主第１フィルタ開口を形成している。
【００１３】
任意で、第１主突出部材は、円形、楕円形、長円形、三角形または長方形の断面を有している。
【００１４】
任意で、第１主突出部材は、第１支持点を含む１つ以上の支持点を備えている。第１支持点は、第２フィルタ構造内の第１主開口の第１内部側壁と接触している。
【００１５】
任意で、第１フィルタ構造は第１補助突出部材を備えており、第２フィルタ構造は第１補助開口を備えている。第１補助突出部材は、第１補助開口の内側で中心軸に沿って少なくとも部分的に延び、フィルタ開口群の第１セットの補助第１フィルタ開口を形成している。
【００１６】
任意で、第２部分は、第１チャネルをプローブチャネルに結合するための第１結合部分を備えている。第１結合部分は、第１方向に延びているとともに第１主開口を囲んでいる結合リッジを備えている。
【００１７】
任意で、第１主突出部材の断面積が、第１主突出部材の遠位端に向かって減少している。
【００１８】
任意で、フィルタデバイスは、さらに、中心軸に沿って延びている第２チャネルを備えている。フィルタ要素は、第２チャネルのためのフィルタ開口群の第２セットを有している。
【００１９】
任意で、第１部分は、空洞を有する管部分を備えている。第２部分は、空洞の内側で中心軸に沿って延び、第１チャネルおよび第２チャネルを形成しているチャネル分離部を備えている。
【００２０】
任意で、第１フィルタ構造は、第１主突出部材と第２主突出部材を備えている。第２フィルタ構造は、第１主開口と第２主開口を備えている。第１主突出部材は、少なくとも部分的に第１主開口の内側で中心軸に沿って延び、フィルタ開口群の第１セットの主第１フィルタ開口を形成している。第２主突出部材は、少なくとも部分的に第２主開口の内側で中心軸に沿って延び、フィルタ開口群の第２セットの主第２フィルタ開口を形成している。
【００２１】
任意で、第１部分および／または第２部分は、少なくとも部分的に疎水性物質によってコーティングされている。
【００２２】
聴力検査プローブは、本明細書の実施形態のいずれかに開示されているフィルタデバイスを備えている。
【００２３】
第１チャネルを有するフィルタデバイスを製造する方法であって、第１フィルタ構造を有する第１部分を取得する工程と、第２フィルタ構造を有する第２部分を取得する工程と、第１部分と第２部分を接合する工程を備えている。第１部分と第２部分を接合する工程は、第１フィルタ構造を第２フィルタ構造に少なくとも部分的に挿入し、第１チャネルのためのフィルタ開口群の第１セットを有するフィルタ要素を形成する。
【００２４】
任意で、第１フィルタ構造を有する第１部分を取得する工程が、第１部分をプラスチック成形する工程を含む。
【００２５】
任意で、接合する工程は、第１部分および第２部分を超音波溶接する工程を含む。
【００２６】
他の特徴、実施形態、および利点について、以下の詳細な説明で説明する。
【図面の簡単な説明】
【００２７】
上記および他の特徴および利点は、添付の図面を参照しながら、その例示的な実施形態の以下の詳細な説明によって当業者に容易にあきらかとなるであろう。
【図１】例示的なフィルタデバイスを示す。
【図２】例示的なフィルタデバイスの第１部分および第２部分を示す。
【図３】例示的なフィルタデバイスの断面を示す。
【図４ａ】例示的なフィルタデバイスの側面図である。
【図４ｂ】例示的なフィルタデバイスの第１部分の側面図である。
【図４ｃ】例示的なフィルタデバイスの第２部分の側面図である。
【図５ａ】例示的なフィルタデバイスの端面図である。
【図５ｂ】例示的なフィルタデバイスの第１部分の端面図である。
【図５ｃ】例示的なフィルタデバイスの第２部分の端面図である。
【図６ａ】例示的なフィルタデバイスの端面図である。
【図６ｂ】例示的なフィルタデバイスの第１部分の端面図である。
【図６ｃ】例示的なフィルタデバイスの第２部分の端面図である。
【図７】結合部分を有する例示的なフィルタデバイスを示す。
【図８】フィルタデバイスの例示的な製造方法のフロー図である。
【発明を実施するための形態】
【００２８】
種々の実施形態について、以下で図を参照しながら説明する。全体を通して、同じ参照番号は同じ要素を指す。したがって、同じ要素については、各図の説明に関して詳細に説明しない。図は、実施形態の説明を容易にすることを意図したものにすぎないことにも留意されたい。図は、特許請求の範囲に記載した発明の網羅的な説明として、または特許請求の範囲に記載した発明の範囲に対する制限として意図されるものではない。さらに、図示の実施形態は、示されるすべての態様または利点を有する必要はない。特定の実施形態に関連して説明する態様または利点は、必ずしもその実施形態に限定されず、そのように図示しない場合であっても、またはそのように明示的に説明しない場合であっても、他の任意の実施形態で実施可能である。
【００２９】
フィルタデバイスは、中心軸に沿って延びる第１チャネルを備える。フィルタ要素は、第１チャネルのためのフィルタ開口群の第１セットを有する。追加または代替として、フィルタデバイスは、中心軸に沿って延びる第２チャネルを備え得る。フィルタ要素は、第２チャネルのためのフィルタ開口群の第２セットを有し得る。フィルタ開口群の第１セットは、第１チャネルと周囲との間で流体の連通を提供し得る。フィルタ開口群の第２セットは、第２チャネルと周囲との間で流体の連通を提供し得る。
【００３０】
フィルタデバイスは、中心軸に沿って延びる、第１チャネル、第２チャネル、および／または第３チャネルを含む複数のチャネルを備え得る。このチャネルは、少なくとも部分的に、第１部分および／または第２部分によって形成され得る。
【００３１】
フィルタデバイスは、フィルタデバイスまたはフィルタデバイスの一部が人間の耳に挿入され得るような寸法を有してよい。フィルタデバイスは、中心軸に沿ったある長さ、たとえば、０．５ｃｍから１０ｃｍの間、１ｃｍから５ｃｍの間、１．５ｃｍから３ｃｍの間など、１５ｃｍ未満の長さを有していてよい。
【００３２】
フィルタ要素は、複数のチャネルのためのフィルタ開口群の複数のセットを有し得る。複数のチャネルのためのフィルタ開口群の複数のセットは、第１チャネルのためのフィルタ開口群の第１セットと、第２チャネルのためのフィルタ開口群の第２セットとを含み得る。フィルタ要素は、第３チャネルのためのフィルタ開口群の第３セットを含み得る。フィルタ要素は、第４チャネルのためのフィルタ開口群の第４セットを含み得る。フィルタ開口群の１つのセットは、１つ、２つ、３つ、４つ、５つ、６つ、７つ、またはそれよりも多くのフィルタ開口、たとえば１から１０までの範囲内のフィルタ開口を備えていてよい。
【００３３】
フィルタ開口群の１つのセットのうちの１つのフィルタ開口などは、中心軸に垂直な平面内に断面形状を有し得る。この断面形状は、円形、長方形、または楕円形などの幾何学的形状の外周または外周の一部に類似したようなスリットであってよい。このスリットは、０．３５ｍｍ未満、０．２ｍｍ未満、０．１５ｍｍ未満、０．１ｍｍ未満など、０．５ｍｍ未満の幅を有してよい。このスリットは、一定の幅および／または変化する幅を有してよい。
【００３４】
フィルタデバイスのたとえば第１部分は、空洞を有する管部分を備え得る。この管部分は、１つまたは複数のチャネルの外壁部分を形成し得る。この管部分は、チャネルを少なくとも部分的に囲み得る。この管部分は、中心軸に沿って延び得る。この管部分は、０．１ｃｍから７ｃｍの間、０．５ｃｍから５ｃｍの間、１ｃｍから３ｃｍの間など、１０ｃｍ未満の長さを有してよい。この管部分は円形の断面を有することがあり、および／または、この管部分は楕円形の断面を有することがあり、および／または、この管部分は多角形の横断面を有することがあり、および／または、この管部分は長方形の断面を有することがある。この管部分は、ある断面寸法、たとえば、直径および／または幅などの、中心軸に対して平行な法線を有する平面内の断面寸法を有してよい。この断面寸法は、管部分が人間の外耳道に挿入され得るように選択されてよい。この断面寸法は、０．１ｃｍから１．５ｃｍの間、０．２ｃｍから１ｃｍの間、０．３ｃｍから０．８ｃｍの間、０．５ｃｍなど、２ｃｍ未満であってよい。
【００３５】
フィルタデバイスのたとえば第２部分は、空洞の内側で中心軸に沿って延びて第１チャネルおよび第２チャネルなどの複数のチャネルを形成するチャネル分離部を備え得る。このチャネル分離部は、管部分の長さと実質的に同様の長さを有していてよい。このチャネル分離部は、管部分の長さよりも０．１ｃｍ短いなど、管部分の長さよりも短い長さを有していてもよい。このチャネル分離部は、０．１ｃｍから７ｃｍの間、０．５ｃｍから５ｃｍの間、１ｃｍから３ｃｍの間など、１０ｃｍ未満の長さを有していてよい。
【００３６】
このチャネル分離部は、第１内壁および／または第２内壁を含む、１つまたは複数の内壁を形成し得る。この１つまたは複数の内壁は、交点、たとえば中心軸に沿って延びる交点から径方向に延び得る。チャネル分離部は、中心軸に沿って延びる４つの内壁の交点から径方向に延びる４つの内壁を形成し得る。
【００３７】
第１内壁および／または第２内壁などの、チャネル分離部の１つまたは複数の内壁は、中心軸に垂直な方向に幅を有してよい。この幅は、１つまたは複数の内壁が管部分の空洞の内側まで径方向に延びるように選択されてよい。１つまたは複数の内壁の幅は、１ｍｍから８ｍｍの間、２ｍｍから６ｍｍの間、３ｍｍなど、１０ｍｍ未満であってよい。
【００３８】
第１フィルタ構造は、１つおよび／または複数の突出部材を備え得る。第１フィルタ構造は、第１主突出部材、第１補助突出部材、第２主突出部材、および／または第２補助突出部材などの突出部材を備え得る。この突出部材は、中心軸に沿って延び得る。
【００３９】
第１主突出部材、第１補助突出部材、第２主突出部材、および／または第２補助突出部材など、１つおよび／または複数の突出部材は、遠位端を有し得る。
【００４０】
第１主突出部材、第１補助突出部材、第２主突出部材、および／または第２補助突出部材などの、１つの突出部材および／または複数の突出部材は、０．５ｍｍから８ｍｍの間、１ｍｍ、３ｍｍまたは５ｍｍなど、０．１ｍｍから１０ｍｍの間の中心軸と平行な長さを有していてよい。
【００４１】
第２フィルタ構造は、第１開口および第２開口などの、１つおよび／または複数の開口を備え得る。第１開口は、たとえば、第１主開口および／または第１補助開口を含む。第２開口は、たとえば、第２主開口および／または第２補助開口を含む。第２フィルタ構造は、第３開口と第４開口を備え得る。第３開口は、たとえば、第３の主開口および／または第３の補助開口を含む。第４開口は、たとえば、第４の主開口および／または第４の補助開口を含む。
【００４２】
突出部材は、第２フィルタ構造の開口の内側で（たとえば、中心軸に沿って少なくとも０．５ｍｍの重複を有して）またはこれを通って中心軸に沿って少なくとも部分的に延びて、フィルタ開口群の１つのセットのうちのあるフィルタ開口を形成し得る。たとえば、第１主突出部材は、第１主開口の内側でまたはこれを通って、たとえば少なくとも０．５ｍｍの重複を有して、中心軸に沿って少なくとも部分的に延びて、フィルタ開口群の第１セットの主第１フィルタ開口を形成し得る。代替または追加として、第１補助突出部材は、第１補助開口の内側でまたはこれを通って、たとえば少なくとも０．５ｍｍの重複を有して、中心軸に沿って少なくとも部分的に延びて、フィルタ開口群の第１セットの補助第１フィルタ開口を形成し得る。代替または追加として、第２主突出部材は、第２主開口の内側でまたはこれを通って中心軸に沿って少なくとも部分的に延びて、フィルタ開口群の第２セットの主第２フィルタ開口を形成し得る。代替または追加として、第２補助突出部材は、第２補助開口の内側でまたはこれを通って中心軸に沿って少なくとも部分的に延びて、フィルタ開口群の第２セットの補助第２フィルタ開口を形成し得る。第３突出部材は、第２フィルタ要素の第３開口の内側でまたはこれを通って中心軸に沿って少なくとも部分的に延びて、フィルタ開口群の第３セットの第３フィルタ開口を形成し得る。第４突出部材は、第２フィルタ要素の第４開口の内側でまたはこれを通って中心軸に沿って少なくとも部分的に延びて、フィルタ開口群の第４セットの第４フィルタ開口を形成し得る。複数の突出部材は、同じフィルタ開口の中に延びてもよいし、同じフィルタ開口を共有してもよい。
【００４３】
第１主突出部材、第１補助突出部材、第２主突出部材、および／または第２補助突出部材などの、１つおよび／または複数の突出部材は、円形の断面、楕円形の断面、長円形（ｏｂｌｏｎｇ）の断面、三角形の断面または長方形の断面を有し得る。サイズ要件および音響的性質により、長円形の断面を有する１つまたは複数の突出部材が好ましいことがある。
【００４４】
１つの突出部材および／または複数の突出部材の断面積は、突出部材の遠位端に向かって減少していてもよい。たとえば、第１主突出部材の断面積は、第１主突出部材の遠位端に向かって減少していてもよい。このことによって、フィルタ構造の成形が容易になり、および／または成形工具が単純化され得る。
【００４５】
１つの突出部材および／または複数の突出部材の断面は、中心軸に対して平行な法線を有する平面内にあってよい。
【００４６】
第１主開口、第１補助開口、第２主開口、および／または第２補助開口などの、１つの開口および／または複数の開口は、円形の断面、楕円形の断面、長円形の断面、三角形の断面または長方形の断面を有し得る。サイズ要件および音響的性質により、長円形の断面または楕円形の断面を有する１つまたは複数の開口が好ましいことがある。
【００４７】
１つの開口および／または複数の開口の断面は、中心軸に対して平行な法線を有する平面内にあってよい。
【００４８】
第１主開口、第１補助開口、第２主開口、および／または第２補助開口など、複数の開口のうちのある開口は、断面積を有し得る。開口の断面積は、１つまたは複数の突出部材が開口の内側で延びることを可能にするように選択され得る。たとえば、開口の断面積は、１ｍｍ２から２０ｍｍ２の間、２ｍｍ２から１５ｍｍ２の間など、３０ｍｍ２よりも小さくてよい。
【００４９】
第１主突出部材、第１補助突出部材、第２主突出部材、および／または第２補助突出部材などの、１つの突出部材および／または複数の突出部材は、第１支持点および／または第２支持点などの、１つまたは複数の支持点を備え得る。１つまたは複数の支持点は、組み立てられると、第２フィルタ構造内の開口の内部側壁と接触し得る。たとえば、第１主突出部材の第１支持点は、フィルタデバイスを組み立てると、第２フィルタ構造内の第１主開口の第１内部側壁と接触し得る。
【００５０】
支持点を設けることによって、フィルタ開口サイズの精度の向上が実現され、音響的性質の変動が低減され得る。そのうえ、支持点があることにより、たとえば超音波溶接によって、第１部分と第２部分を後で結合することが可能になり得る。
【００５１】
第２部分は、第１チャネルおよび／または第２チャネルなどのチャネルをプローブチャネルに結合するための、第１結合部分および／または第２結合部分などの１つおよび／または複数の結合部分を備え得る。１つおよび／または複数の結合部分は、結合リッジ（ｃｏｕｐｌｉｎｇ  ｒｉｄｇｅ）を備え得る。結合リッジは、第１方向に延びており、第１主開口、第１補助開口、第２主開口および／または第２補助開口などの１つの開口および／または複数の開口を囲んでいる。たとえば、第１結合部分は、第１方向に延びており、第１主開口および／または第１補助開口を囲む結合リッジを備え得る。代替および／または追加として、第２結合部分は、第１方向に延びており、第２主開口および／または第２補助開口を囲む結合リッジを備え得る。
【００５２】
第１部分および／または第２部分は、疎水性物質で少なくとも部分的にコーティングされていてよい。たとえば、第１フィルタ構造および／または第２フィルタ構造は、疎水性物質で少なくとも部分的にコーティングされていてよい。たとえば、フィルタ開口の内面は疎水性物質でコーティングされていてよい。たとえば、１つのおよび／または複数の突出部材、および／または、１つおよび／または複数の開口は、疎水性物質で少なくとも部分的にコーティングされていてよい。
【００５３】
疎水性物質で表面をコーティングすることによって、その表面に耳垢が引き寄せられ、したがって、耳垢がフィルタ開口の内側に少なくとも部分的に捕獲され、耳垢がフィルタ開口を通って外へ移動することが防止、または少なくともそのリスクが低減される。
【００５４】
第１部分および／または第２部分は、親水性物質で少なくとも部分的にコーティングされていてよい。たとえば、第１フィルタ構造および／または第２フィルタ構造は、親水性物質で少なくとも部分的にコーティングされていてよい。たとえば、第２端は親水性物質でコーティングされていてよく、たとえば、１つおよび／または複数の突出部材、および／または、１つおよび／または複数の開口は、親水性物質で少なくとも部分的にコーティングされていてよい。親水性物質で表面をコーティングすることによって、その表面から耳垢がはね返され、したがって、耳垢がフィルタ開口に入ることが少なくとも部分的に防止される。
【００５５】
フィルタ開口の長さおよび幅は、第１フィルタ構造および第２フィルタ構造のレイアウト、たとえば、第１フィルタ構造の１つおよび／または複数の突出部材のサイズ、および／または、第２フィルタ構造の１つおよび／または複数の開口のサイズを変化させることによって変化され得る。
【００５６】
たとえば、フィルタ開口の長さは、たとえば、１つおよび／または複数の突出部材の長さを増加させることによって、および／または、１つおよび／または複数の開口の長さを増加させることによって増加され、それによって、耳垢がフィルタ開口を通過することがさらに防止され得る。
【００５７】
代替または追加として、フィルタ開口の幅は、たとえば、１つおよび／または複数の突出部材の幅を増加させることによって、および／または、１つおよび／または複数の開口の幅を減少させることによって減少され、それによって、耳垢がフィルタ開口に入ることがさらに防止され得る。
【００５８】
代替または追加として、フィルタ開口の幅および長さを変化させて、フィルタデバイスの所望の音響的性質を達成することもでき得る。
【００５９】
第１部分および／または第２部分は、アクリロニトリルブタジエンスチレン（ＡＢＳ）、ポリカーボネート／アクリロニトリルブタジエンスチレンブレンド（ＰＣ−ＡＢＳ）および／またはポリオキシメチレン（ＰＯＭ）などのプラスチックから作製され得る。第１フィルタ構造を有する第１部分および／または第２フィルタ構造を有する第２部分の取得は、それぞれ第１部分および／または第２部分のプラスチック成形を含み得る。
【００６０】
第１部分と第２部分の接合は、第１部分および第２部分の超音波溶接を含み得る。第１部分および／または第２部分は、第１部分および第２部分の超音波溶接のためのエネルギーディレクタ（ｅｎｅｒｇｙ  ｄｉｒｅｃｔｏｒ）を備えていてよい。エネルギーディレクタは、円錐形の突出部など、表面の小さな突出部であってよい。
【００６１】
フィルタデバイスは、複数のフィルタデバイスを有するシステムの第１フィルタデバイスおよび／または第２フィルタデバイスであってよい。複数のフィルタデバイスを有するシステムは、たとえば第１フィルタデバイスと第２フィルタデバイスとを含む、複数のフィルタデバイスを備えていてよい。第１フィルタデバイスと第２フィルタデバイスの間に、中間スペースを設けてもよい。中間スペースは、第１フィルタデバイスと第２フィルタデバイスの間に耳垢を捕獲するために設けられていてよい。
【００６２】
全体を通して、同じ参照番号は、同一の部分または対応する部分に使用される。
【００６３】
図１は、聴力検査プローブ（図示せず）のための例示的なフィルタデバイス２を示す。フィルタデバイス２は、中心軸１００に沿って第１方向に第１端４から第２端６に延びる。フィルタデバイス２は、第１部分８と第２部分１２を備える。フィルタデバイス２は、中心軸１００に沿って延びる第１チャネルを備える。第１部分８は、第１チャネルが延びている管部分５０を備える。
【００６４】
第１部分８は第１フィルタ構造を有し、第２部分１２は第２フィルタ構造を有する。第１部分８と第２部分１２は互いに接合され、第１フィルタ構造と第２フィルタ構造は、第１チャネルのためのフィルタ開口群の第１セット２０を備えるフィルタ要素１８を画定している。フィルタ開口群の第１セット２０は、複数の第１フィルタ開口を備える。フィルタ開口群の第１セット２０は、主第１フィルタ開口２８と補助第１フィルタ開口３６を備える。
【００６５】
フィルタ要素１８は、第２チャネルのためのフィルタ開口群の第２セット４０をさらに備える。フィルタ開口群の第２セット４０は、複数の第２フィルタ開口を備える。フィルタ開口群の第２セット４０は、主第２フィルタ開口４８を備える。第２チャネルは、管部分５０の内側に延びている。
【００６６】
フィルタ要素１８は、複数のチャネルのためのフィルタ開口群の複数のセットを備え得る。図示のフィルタ要素１８は、４つのチャネルのためのフィルタ開口群の４つのセットを備える。複数のチャネルのためのフィルタ開口群の複数のセットは、さまざまな目的でフィルタ開口群のセットおよびチャネルを提供し得る。たとえば、フィルタ開口群の第１セット２０は、音を出すためのものであってよく、たとえばスピーカに接続されてよく、フィルタ開口群の第２セット４０は、音を受け取るためのものであってよく、たとえばマイクロホンに接続されてよく、フィルタ開口群の第３セットは、加圧するためのものであってよく、たとえばポンプに接続されてよい。
【００６７】
例示的なフィルタデバイス（図示せず）では、第２部分１２は、チャネルをプローブチャネルに結合するための１つまたは複数の結合部分を備え得る。たとえば、第２部分１２は、第１チャネルをプローブチャネルに結合するための第１結合部分を備え得る。および／または、第２部分１２は、第２チャネルをプローブチャネルに結合するための第２結合部分を備え得る。第１結合部分は、フィルタ開口群の第１セット２０を囲むなど、第１方向に延びており、主第１フィルタ開口２８および／または補助第１フィルタ開口３６を囲む結合リッジを備え得る。第２結合部分は、フィルタ開口群の第２セット４０を囲むなど、第１方向に延びており、主第２フィルタ開口４８を囲む結合リッジを備え得る。
【００６８】
図２は、第１部分８と第２部分１２を接合して図１に示されるようなフィルタデバイス２を形成する前の例示的なフィルタデバイス２を示す。フィルタデバイス２は、第１フィルタ構造１０を有する第１部分８と、第２フィルタ構造１４を有する第２部分１２を備えている。
【００６９】
第１部分８は空洞を有する管部分５０を備え、第２部分１２は空洞の内側で中心軸１００に沿って延びる４つの内壁を有するチャネル分離部５４を備える。空洞の内側で延びるチャネル分離部５４の内壁は、第１チャネルと第２チャネルを含む４つのチャネルを形成する。
【００７０】
第１フィルタ構造１０は、遠位端２４を有する第１主突出部材２２を備える。第２フィルタ構造１４は、第１主開口２６を備えている。第１部分８と第２部分１２を接合した後、第１主突出部材２２は、中心軸に沿って少なくとも一部が第１主開口２６の内側に、または、第１主開口２６を通過して延びて、図１に示されるような第１チャネルのためのフィルタ開口群の第１セットの主第１フィルタ開口を形成している。
【００７１】
第１フィルタ構造１０は複数の突出部材を備え、第２フィルタ構造１４は複数の開口を備えている。
【００７２】
第１フィルタ構造１０は、遠位端３２を有する第１補助突出部材３０を備えている。第２フィルタ構造は、第１補助開口３４を備えている。第１部分８と第２部分１２を接合した後、第１補助突出部材３０は、中心軸に沿って少なくとも一部が第１補助開口３４の内側に、または、第１補助開口３４を通過して延び、図１に示されるような第１チャネルのためのフィルタ開口群の第１セットの補助第１フィルタ開口を形成する。
【００７３】
第１フィルタ構造１０は、遠位端４４を有する第２主突出部材４２を備えている。第２フィルタ構造１４は、第２主開口４６を備えている。第１部分８と第２部分１２を接合した後、第２主突出部材４２は、中心軸に沿って少なくとも一部が第２主開口４６の内側に、または、第２主開口４６を通過して延び、図１に示されるような第２チャネルのためのフィルタ開口群の第２セットの主第２フィルタ開口を形成する。
【００７４】
第１部分８と第２部分１２を接合した後、第１主突出部材２２、第１補助突出部材３０および／または第２主突出部材４２などの第１フィルタ構造１０の突出部材は、第１主開口２６、第１補助開口３４および／または第２主開口４６などの第２フィルタ構造のそれぞれの開口と、中心軸に沿って重複するように構成される。
【００７５】
例示的なフィルタデバイス（図示せず）では、第２部分１２は、チャネルをプローブチャネルに結合するための１つまたは複数の結合部分を備え得る。たとえば、第２部分１２は、第１チャネルをプローブチャネルに結合するための第１結合部分を備え得る。および／または、第２部分１２は、第２チャネルをプローブチャネルに結合するための第２結合部分を備え得る。第１結合部分は、第１方向に延びている第１主開口２６および／または第１補助開口３４を囲む結合リッジを備え得る。第２結合部分は、第１方向に延びている第２主開口４６を囲む結合リッジを備え得る。
【００７６】
図３は、例示的なフィルタデバイス２の断面を示す。フィルタデバイス２は、第１チャネル１６と第２チャネル３８を備えている。さらに、図３は、空洞５２を有する管部分５０を備える第１部分８と、空洞５２の内側で中心軸１００に沿って延びるチャネル分離部５４を備える第２部分１２を示す。空洞５２の内側で延びるチャネル分離部５４は、第１チャネル１６および第２チャネル３８を形成している。第１部分８と第２部分１２は互いに接合され、複数のフィルタ開口を備えるフィルタ要素１８を形成している。フィルタ要素１８は、第１チャネル１６のための主第１フィルタ開口２８を備えている。主第１フィルタ開口２８は、図１に関連して説明したように、第１チャネル１６のためのフィルタ開口群の第１セットの一部であってよい。
【００７７】
図４ａから図４ｃは、それぞれ、例示的なフィルタデバイス２、例示的な第１部分８および例示的な第２部分１２の側面図である。図４ａは、フィルタデバイス２を示す。図４ｂは、フィルタデバイス２の第１部分８を示す。第１部分８は、第１フィルタ構造１０を有する。図４ｃは、フィルタデバイス２の第２部分１２を示す。第２部分は、第２フィルタ構造１４を有する。図４ａは、第１部分８と第２部分１２が互いに接合されているフィルタデバイス２を示す。したがって、第１フィルタ構造１０と第２フィルタ構造１４は、フィルタデバイス２のフィルタ要素１８を画定する。
【００７８】
第１部分８が管部分５０を備え、第２部分１２がチャネル分離部５４を備えることも図４ａから図４ｃに示されている。第１部分８と第２部分１２を接合した後、チャネル分離部５４は、管部分５０の空洞の内側で中心軸１００に沿って延び、第１チャネルおよび第２チャネルを形成する。任意で、チャネル分離部５４は、複数のチャネルを形成する複数の分離壁を備えていてもよく、たとえば、チャネル分離部５４は、第１チャネル、第２チャネル、第３のチャネルおよび第４のチャネルを形成する４つの分離壁を備えていてもよい。
【００７９】
図５ａから図５ｃは、それぞれ、第２端６（図１）から見た、例示的なフィルタデバイス２、例示的な第１部分８、および例示的な第２部分１２の側面図である。
【００８０】
図５ａは、フィルタ要素１８が第１チャネルのためのフィルタ開口群の第１セット２０と第２チャネルのためのフィルタ開口群の第２セット４０を備えるフィルタデバイス２を示す。フィルタ開口群の第１セット２０は、主第１フィルタ開口２８と、補助第１フィルタ開口３６を備える。フィルタ開口群の第２セット４０は、主第２フィルタ開口４８を備える。
【００８１】
図５ｂは、フィルタデバイス２の第１部分８を示す。第１部分８は、第１フィルタ構造１０を有する。第１フィルタ構造１０は、第１主突出部材２２と第１補助突出部材３０と第２主突出部材４２を含む、複数の突出部材を備える。第１部分８の管部分の空洞５２も示されている。図５ｂに示されるように、第１主突出部材２２、第１補助突出部材３０および／または第２主突出部材４２などの突出部材は、楕円形の断面または長円形の断面を有し得る。あるいは、第１主突出部材２２、第１補助突出部材３０および／または第２主突出部材４２などの突出部材は、円形の断面、三角形の断面および／または長方形の断面であってよい。
【００８２】
図５ｃは、フィルタデバイス２の第２部分１２を示す。第２部分は、第２フィルタ構造１４を有する。第２フィルタ構造１４は、第１主開口２６と第１補助開口３４と第２主開口４６を含む、複数の開口を備える。
【００８３】
第１主開口２６、第１補助開口３４および／または第２主開口４６などの第２フィルタ構造１４の開口は、第１主突出部材２２、第１補助突出部材３０および／または第２主突出部材４２などの第１フィルタ構造１０のそれぞれの突出部材よりもわずかに大きく、たとえば、開口２６、３４、４６は、それぞれの突出部材２２、３０、４２よりもわずかに大きい断面積を有する。
【００８４】
いくつかの例示的なフィルタデバイス（図示せず）では、第１主突出部材２２、第１補助突出部材３０および／または第２主突出部材４２などの第１フィルタ構造１０の突出部材は、第１支持点を含む１つまたは複数の支持点を備え得る。第１部分８と第２部分１２を接合した後、第１支持点は、第１主開口２６、第１補助開口３４および／または第２主開口４６などの、第２フィルタ構造１４の開口の第１内部側壁と接触し得る。
【００８５】
第１部分８と第２部分１２を接合した後、図５ａに示されるように、第１フィルタ構造１０と第２フィルタ構造１４はフィルタ要素１８を画定する。第１部分８と第２部分１２を接合した後、第１主突出部材２２は、少なくとも一部が第１主開口２６の内側に、または、第１主開口２６を通過して延びて、主第１フィルタ開口２８を形成する。第１部分８と第２部分１２を接合した後、第１補助突出部材３０は、少なくとも一部が第１補助開口３４の内側に、または、第１補助開口３４を通過して延びて、補助第１フィルタ開口３６を形成する。第１部分８と第２部分１２を接合した後、第２主突出部材４２は、少なくとも一部が第２主開口４６の内側に、または、第２主開口４６を通過して延びて、主第２フィルタ開口４８を形成する。
【００８６】
図６ａから図６ｃは、それぞれ、第１端４（図１）から見た、例示的なフィルタデバイス２、例示的な第１部分８および例示的な第２部分１２を示している。
【００８７】
図６ａは、第１チャネル１６と第２チャネル３８を備えるフィルタデバイス２を示す。図６ｂは、フィルタデバイス２の第１部分８を示す。第１部分８は、空洞５２を有する管部分５０を備える。図６ｃは、フィルタデバイス２の第２部分１２を示す。第２部分１２は、チャネル分離部５４を備える。第１部分８と第２部分１２を接合した後、フィルタデバイス２は、図６ａに示されるように、第１チャネル１６と第２チャネル３８とを含む複数のチャネルを備える。第１チャネル１６と第２チャネル３８は、管部分５０の空洞５２の内側で延びるチャネル分離部５４によって分離される。
【００８８】
図７は、第２部分１２が第１結合部分６２を含む１つ以上の結合部分を備える例示的なフィルタデバイス２を示す。第２部分１２は、チャネルおよびフィルタ開口のそれぞれを各プローブ／プローブチャネルに結合するための第１結合部分６２、第２結合部分６４、第３結合部分６６および第４結合部分６８を含む、複数の結合部分を備える。フィルタデバイスは、結合部分を含む結合部材を備え得る。この結合部材は、たとえば第１部分および第２部分と異なる材料で作製された別個の部材であってよい。第１結合部分は、第１チャネルをプローブチャネルに結合するように、および／または、フィルタデバイス２をプローブに結合するために構成される。複数の結合部分は、フィルタデバイスの複数のチャネルをプローブの複数のチャネルに結合するために構成され得る。結合部分は、第１方向に延びる結合リッジを備え得る。第１結合部分６２は、第１方向に延びる第１結合リッジ７０を備える。
【００８９】
図８は、第１チャネルを有するフィルタデバイスを製造する例示的な方法２００のフロー図である。方法２００は、第１フィルタ構造を有する第１部分の取得２０２と、第２フィルタ構造を有する第２部分の取得２０４と、第１部分と第２部分の接合２０６を含む。
【００９０】
第１部分と第２部分の接合２０６は、第１フィルタ構造を少なくとも部分的に第２フィルタ構造に挿入し、第１チャネルのためのフィルタ開口群の第１セットを有するフィルタ要素を形成することを含む。
【００９１】
第１部分の取得２０２は、第１部分のプラスチック成形を含み、および／または、第２部分の取得２０４は、第２部分のプラスチック成形を含み得る。
【００９２】
第１部分と第２部分の接合２０６は、第１部分および第２部分の超音波溶接を含み得る。たとえば、第１部分と第２部分の接合２０６は、第１フィルタ構造を第２フィルタ構造に挿入し、その後、第１部分および第２部分を超音波溶接することを含み得る。
【００９３】
さらに、以下の項目のいずれかに示されるフィルタデバイス、聴力検査プローブおよびその製造方法が開示される。
（項目１）
聴力検査プローブのためのフィルタデバイスであって、
前記フィルタデバイスは、第１方向において、中心軸に沿って第１端から第２端に向けて延びており、
第１フィルタ構造を有する第１部分と、
第２フィルタ構造を有する第２部分と、
前記中心軸に沿って延びる第１チャネルと、を備えており、
前記第１部分と前記第２部分は互いに接合されており、
前記第１フィルタ構造と前記第２フィルタ構造は、前記第１チャネルのためのフィルタ開口群の第１セットを有するフィルタ要素を画定している、フィルタデバイス。
（項目２）
前記第１フィルタ構造は、遠位端を有する第１主突出部材を備えており、
前記第２フィルタ構造は第１主開口を備えており、
前記第１主突出部材は、前記第１主開口の内側で前記中心軸に沿って少なくとも部分的に延び、前記フィルタ開口群の第１セットの主第１フィルタ開口を形成している、項目１に記載のフィルタデバイス。
（項目３）
前記第１主突出部材は、円形、楕円形、長円形、三角形または長方形の断面を有している、項目２に記載のフィルタデバイス。
（項目４）
前記第１主突出部材は、第１支持点を含む１つ以上の支持点を備えており、
前記第１支持点は、前記第２フィルタ構造内の前記第１主開口の第１内部側壁と接触している、項目２または３に記載のフィルタデバイス。
（項目５）
前記第１フィルタ構造は、第１補助突出部材を備えており、
前記第２フィルタ構造は、第１補助開口を備えており、
前記第１補助突出部材は、前記第１補助開口の内側で前記中心軸に沿って少なくとも部分的に延び、前記フィルタ開口群の第１セットの補助第１フィルタ開口を形成している、項目２から４のいずれか一項に記載のフィルタデバイス。
（項目６）
前記第２部分は、前記第１チャネルをプローブチャネルに結合するための第１結合部分を備えており、
前記第１結合部分は、前記第１方向に延びているとともに前記第１主開口を囲んでいる結合リッジを備えている、項目２から５のいずれか一項に記載のフィルタデバイス。
（項目７）
前記第１主突出部材の断面積が、遠位端に向かって減少している、項目２から６のいずれか一項に記載のフィルタデバイス。
（項目８）
前記フィルタデバイスは、前記中心軸に沿って延びている第２チャネルを備えており、
前記フィルタ要素は、前記第２チャネルのためのフィルタ開口群の第２セットを有している、項目１から７のいずれか一項に記載のフィルタデバイス。
（項目９）
前記第１部分は、空洞を有する管部分を備えており、
前記第２部分は、前記空洞の内側で前記中心軸に沿って延び、前記第１チャネルおよび前記第２チャネルを形成しているチャネル分離部を備えている、項目８に記載のフィルタデバイス。
（項目１０）
前記第１フィルタ構造は、第２主突出部材を備えており、
前記第２フィルタ構造は、第２主開口を備えており、
前記第２主突出部材は、前記第２主開口の内側で前記中心軸に沿って延び、前記フィルタ開口の第２セットの主第２フィルタ開口を形成している、項目８または９に記載のフィルタデバイス。
（項目１１）
前記第１部分および／または前記第２部分は、少なくとも部分的に疎水性物質によってコーティングされている、項目１から１０のいずれか一項に記載のフィルタデバイス。
（項目１２）
項目１から１１のいずれか一項に記載のフィルタデバイスを備える聴力検査プローブ。
（項目１３）
第１チャネルを有するフィルタデバイスを製造する方法であって、
第１フィルタ構造を有する第１部分を取得する工程と、
第２フィルタ構造を有する第２部分を取得する工程と、
前記第１部分と前記第２部分を接合する工程であって、前記第１フィルタ構造を前記第２フィルタ構造に少なくとも部分的に挿入し、前記第１チャネルのためのフィルタ開口群の第１セットを有するフィルタ要素を形成する工程と、
を備えている方法。
（項目１４）
第１フィルタ構造を有する第１部分を取得する工程が、第１部分のプラスチック成形を含む、項目１３に記載の方法。
（項目１５）
前記接合する工程は、前記第１部分および前記第２部分の超音波溶接を含む、項目１３または１４に記載の方法。
【００９４】
具体的な特徴を示し、それらについて説明したが、それらは特許請求の範囲に記載された発明を限定するためのものではないことを理解されたい。また、特許請求の範囲に記載された発明の趣旨および範囲を逸脱することなく様々な変更および修正を加えることができることは、当業者には明らかであろう。したがって、本明細書および図面は、限定的なものではなく例示的なものとして見なすべきである。特許請求の範囲に記載された発明は、全ての代替形態、修正形態、および均等形態をカバーすることが意図されている。
【符号の説明】
【００９５】
２：フィルタデバイス
４：第１端
６：第２端
８：第１部分
１０：第１フィルタ構造
１２：第２部分
１４：第２フィルタ構造
１６：第１チャネル
１８：フィルタ要素
２０：フィルタ開口の第１セット
２２：第１主突出部材
２４：遠位端
２６：第１主開口
２８：主第１フィルタ開口
３０：第１補助突出部材
３２：遠位端
３４：第１補助開口
３６：補助第１フィルタ開口
３８：第２チャネル
４０：フィルタ開口の第２セット
４２：第２主突出部材
４４：遠位端
４６：第２主開口
４８：主第２フィルタ開口
５０：管部分
５２：空洞
５４：チャネル分離部
６２：第１結合部分
６４：第２結合部分
６６：第３結合部分
６８：第４結合部分
７０：結合リッジ
１００：中心軸
２００：フィルタデバイスを製造する方法
２０２：第１部分の取得
２０４：第２部分の取得
２０６：第１部分と第２部分の接合
【図１】
0006596324.tif 000002
【図２】
0006596324.tif 000003
【図３】
0006596324.tif 000004
【図４ａ】
0006596324.tif 000005
【図４ｂ】
0006596324.tif 000006
【図４ｃ】
0006596324.tif 000007
【図５ａ】
0006596324.tif 000008
【図５ｂ】
0006596324.tif 000009
【図５ｃ】
0006596324.tif 000010
【図６ａ】
0006596324.tif 000011
【図６ｂ】
0006596324.tif 000012
【図６ｃ】
0006596324.tif 000013
【図７】
0006596324.tif 000014
【図８】
0006596324.tif 000015